(57)【要約】  【課題】開口部の閉鎖状態を適切に維持できる開閉装置を提供する。  【解決手段】開閉装置１は、挿入部６を側端部に有し開口部２を開閉する昇降可能な開閉体７を備える。開閉装置１は、抜止め用係合受け部を有し挿入部６を挿入した状態で開閉体７を案内する案内体３を備える。開閉体７の挿入部６には、抜止め用係合受け部との係合により挿入部６の案内体３内からの抜け出しを防止する抜止め体23を設ける。案内体３の抜止め用係合受け部には抜止め体23との係合により開閉体７の持ち上がりを防止する係合受け凹部を切欠き形成する。  【選択図】図１
2005113561.tif 000002
【特許請求の範囲】
【請求項１】
挿入部を側端部に有し、開口部を開閉する昇降可能な開閉体と、
抜止め用係合受け部を有し、前記挿入部が挿入された状態で前記開閉体を案内する案内体と、
前記挿入部に設けられ、前記抜止め用係合受け部との係合により前記挿入部の前記案内体内からの抜け出しを防止する抜止め体と、
前記案内体に設けられ、前記抜止め体との係合により前記開閉体の持ち上がりを防止する持上り防止用係合受け部と
を備えることを特徴とする開閉装置。
【請求項２】
持上り防止用係合受け部は、案内体の抜止め用係合受け部に切欠き形成された係合受け凹部であり、
抜止め体は、開口部側への移動により前記係合受け凹部内に入り込んでこの係合受け凹部と係合する
ことを特徴とする請求項１記載の開閉装置。
【発明の詳細な説明】
【技術分野】
【０００１】
本発明は、開口部の閉鎖状態を適切に維持できる開閉装置に関するものである。
【背景技術】
【０００２】
従来、例えば挿入部を左右の側端部に有し開口部を開閉する昇降可能な開閉体と、抜止め用係合受け部を有し挿入部が挿入された状態で開閉体を案内する左右一対の案内体と、挿入部に設けられ抜止め用係合受け部との係合により挿入部の案内体内からの抜け出しを防止する抜止め体とを備えた耐火スクリーン装置等の開閉装置が知られている（例えば、特許文献１参照）。
【特許文献１】特開平１１−１３１９４４号公報
【発明の開示】
【発明が解決しようとする課題】
【０００３】
しかしながら、上記従来の開閉装置では、開口部の閉鎖時に開閉体が例えば風圧等により持ち上がり、開口部の閉鎖状態が維持されないおそれがある。
【０００４】
本発明は、このような点に鑑みなされたもので、開口部の閉鎖状態を適切に維持できる開閉装置を提供することを目的とする。
【課題を解決するための手段】
【０００５】
請求項１記載の開閉装置は、挿入部を側端部に有し、開口部を開閉する昇降可能な開閉体と、抜止め用係合受け部を有し、前記挿入部が挿入された状態で前記開閉体を案内する案内体と、前記挿入部に設けられ、前記抜止め用係合受け部との係合により前記挿入部の前記案内体内からの抜け出しを防止する抜止め体と、前記案内体に設けられ、前記抜止め体との係合により前記開閉体の持ち上がりを防止する持上り防止用係合受け部とを備えるものである。
【０００６】
そして、抜止め体と持上り防止用係合受け部との係合により開閉体の持ち上がりが防止されるため、開口部の閉鎖状態が適切に維持される。
【０００７】
請求項２記載の開閉装置は、請求項１記載の開閉装置において、持上り防止用係合受け部は、案内体の抜止め用係合受け部に切欠き形成された係合受け凹部であり、抜止め体は、開口部側への移動により前記係合受け凹部内に入り込んでこの係合受け凹部と係合するものである。
【０００８】
そして、抜止め体が係合受け凹部内に入り込んでこの係合受け凹部と係合するため、開閉体の持ち上がりが効果的に防止される。
【発明の効果】
【０００９】
請求項１記載の開閉装置によれば、抜止め体と持上り防止用係合受け部との係合により開閉体の持ち上がりが防止されるため、開口部の閉鎖状態を適切に維持できる。
【００１０】
請求項２記載の開閉装置によれば、抜止め体が係合受け凹部内に入り込んでこの係合受け凹部と係合するため、開閉体の持ち上がりを効果的に防止できる。
【発明を実施するための最良の形態】
【００１１】
本発明の開閉装置の一実施の形態を図面を参照して説明する。
【００１２】
図１において、１は開閉装置で、この開閉装置１は、例えば火災が発生した際に開口部（例えばエレベータ前の空間部）２を閉鎖して延焼を防止する耐火スクリーン装置である。
【００１３】
開閉装置１は、図２ないし図５にも示すように、互いに離間対向して位置する上下方向長手状の左右一対の案内体（ガイドレール）３を備えている。
【００１４】
そして、両案内体３の上端部間には左右方向長手状で略箱状の収容ケース体４が配設され、この収容ケース体４内には、ばね（図示せず）を内蔵したドラム状の巻体５が左右方向の軸線を中心として回転可能に配設されている。
【００１５】
また、開閉装置１は、挿入部６を左右の両側端部に有しこれら両挿入部６が案内体３内に挿入された状態で案内体３にて案内されながら開口部２に沿って昇降して開口部２を開閉する昇降可能な略面状の開閉体（座板付きのスクリーン体）７を備えている。
【００１６】
開閉体７は、開口部２の閉鎖時には、巻体５からの巻戻しにより下端部が床面等の被当接部にするまで自重下降して略全体が垂直面に沿った略平板状となって、開口部２を閉鎖する。また、開閉体７は、開口部２の開口時には、巻体５の巻取りにより下端部が収容ケース体４の底面部下面に当接するまで上昇して略全体が収容ケース体４内で略円筒状となって、開口部２を開口させる。
【００１７】
なお、開閉体７の上昇は操作者が手動操作で行うが、巻体５に内蔵されたばねが開閉体７を巻取り方向に付勢するため、操作者は開閉体７を容易に上昇させることができる。
【００１８】
ここで、両案内体３は、左右対称の構成のもので、各案内体３は、開口部２側に向って開口した横断面コ字状で上下方向長手状の案内本体部11と、この案内本体部11の開口部２側の各端部内面側に一体に突設され所定の挿通間隙13を介して互いに離間対向して位置する横断面Ｌ字状で上下方向長手状の前後一対の抜止め用係合受け部12と有している。
【００１９】
案内本体部11は、互いに離間対向した前後一対の対向板15を有し、これら両対向板15の反開口部２側の各端部相互が連結板16にて連結されている。
【００２０】
各抜止め用係合受け部12は、案内本体部11の対向板15の開口部２側の端部から内方に向って突出した第１突出板17を有し、この第１突出板17の先端部からは第２突出板18が反開口部２側に向って突出している。
【００２１】
そして、各抜止め用係合受け部12の第２突出板18には、反開口部２側に向って凹状の複数（例えば３つ）の持上り防止用係合受け部である係合受け凹部20が切欠き形成され、これら複数の係合受け凹部20は互いに間隔をおいて上下方向に並んで位置する。各係合受け凹部20は、抜止め用係合受け部12の一部をなすもので、例えば略く字状に形成されている。
【００２２】
開閉体７は、上端部が巻体５の外周面部に取り付けられ略面状で可撓性の開閉本体部21と、この開閉本体部21の下端部に設けられ開閉体７の下端部を構成し開口部２の閉鎖時に被当接部に当接する左右方向長手状の当接部である重錘部（座板）22とを有している。
【００２３】
開閉本体部21は、例えばガラスクロス、シリカクロス等からなる不燃性の布地にて略矩形状に形成され、この開閉本体部21の左右方向両端部が挿入部６となっている。
【００２４】
そして、開閉本体部21の各挿入部６には、対応する案内体３の抜止め用係合受け部12の第２突出板18との係合により挿入部６の案内体３の案内本体部11内からの抜け出しを防止する突出状の複数（例えば３つ）の抜止め体23が突設されている。
【００２５】
これら複数の抜止め体23は、開口部２の閉鎖時には、案内体３の各係合受け凹部20に対応して互いに間隔をおいて上下方向に並んで位置する。
【００２６】
そして、各抜止め体23は、開閉本体部21の撓みに基づく開口部２側への移動により対応する係合受け凹部20内に入り込んでこの係合受け凹部20と係合し、開閉体７の持ち上がりを防止する。
【００２７】
各抜止め体23は、開閉本体部21の挿入部６の前後面（対向板15と対向した面）から突出した突出状のもので、例えば六角ボルト25とこの六角ボルト25に螺合されたフランジ付きナット26とにて構成されている。
【００２８】
抜止め体23の前後方向（開閉体７の厚さ方向）の長さ寸法は、開閉体７が挿通される抜止め用係合受け部12間の挿通間隙13より大きい値となっている。また、左右の抜止め体23間の距離は、開閉体７が風圧等にて加圧される前の状態で、抜止め体23が抜止め用係合受け部12の第２突出板18における係合受け凹部20が形成されていない部分から離れて位置するような距離となっている。
【００２９】
なお、重錘部22は、例えば不燃性の金属材料にて左右方向長手状に形成され、この重錘部22の長手方向両端部が挿入部６となっている。
【００３０】
次に、上記開閉装置１の作用等について説明する。
【００３１】
例えば火災が発生すると、開閉体７が重錘部22の重量によりスムーズに自重下降し、開口部２が閉鎖される。
【００３２】
そして、例えば熱風による風圧が開閉体７に作用すると、図４および図５に示すように、開閉体７の開閉本体部21が一方側に膨出するように撓み、開閉体７の挿入部６が開口部２側に向って移動する。
【００３３】
その結果、このような加圧時には、開閉体７の挿入部６に突設された各抜止め体23が、挿入部６とともに開口部２側に向って移動して抜止め用係合受け部12に切欠き形成された係合受け凹部20内に傾斜縁部にて沿って入り込んで、この係合受け凹部20と係脱自在に引掛り係合する。
【００３４】
このため、開閉体７の挿入部６は案内体３の案内本体部11内から抜け出ず、また開閉体７を持ち上げようとする風圧が作用しても、開閉体７の重錘部22が床面等の被当接部から持ち上がるようなこともなく、開閉体７の重錘部22と被当接部との当接状態が保たれる。
【００３５】
このように、開閉装置１によれば、開口部２の閉鎖時に風圧等が開閉体７に作用して抜止め体23が抜止め用係合受け部12に切欠き形成された係合受け凹部20内に入り込んで係合することにより、挿入部６の案内体３内からの抜け出しおよび開閉体７の持ち上がりが防止されるため、開口部２の閉鎖状態を適切に維持でき、よって、例えば火災時における延焼および煙の拡散等を防止できる。すなわち、開閉装置１は、開口部２の閉鎖時において、開閉体７に風圧等の圧力が作用した場合に、開閉体７が前後方向（開閉体の厚さ方向）と左右方向（開閉体の幅方向）と上下方向（開閉体の開閉方向）とを複合した３次元方向に揺動することを規制し、案内体３からの抜出しと持ち上がりの両方を同時に防止するように構成されている。言い換えると、開閉装置１は、抜出し機能と持ち上がり防止機能の双方を兼ね備えた構成となっており、よって開口部２の閉鎖状態を適切に維持できるのである。
【００３６】
また、熱風による風圧等が作用しない通常時には、抜止め体23は係合受け凹部20とは係合しないから、何ら支障もなく操作者は開閉体７を容易に上昇させて開口部２を開口させることができる。
【００３７】
なお、開閉装置１は、互いに間隔をおいて上下方向に並んで位置する複数の抜止め体23と、案内体３に各抜止め体23と対応するように設けられた複数の係合受け凹部20とを備えたものには限定されず、例えば、開閉体７の挿入部６の下端部に設けられた１つの抜止め体23と案内体３の下端部に設けられた１つの係合受け凹部20とを備えたもの等でもよい。
【００３８】
また、開閉装置１は、開閉体７が加圧される前の状態時に抜止め体23と係合受け凹部20とが略同じ高さに位置する構成には限定されず、抜止め体23と係合受け凹部20とが高さのずれた状態で位置する構成、例えば係合受け凹部20が抜止め体23より若干上方に位置するような構成等でもよい。
【００３９】
さらに、持上り防止用係合受け部である係合受け凹部20の形状は任意であり、例えば略コ字状のものでも、略湾曲状のもの等でもよいが、好ましくは抜止め体23と係合しやすい形状とするのがよい。
【００４０】
また、持上り防止用係合受け部は、抜止め用係合受け部12に切欠き形成された係合受け凹部20には限定されず、例えば、案内本体部11の対向板15から内方に向って突出した突出部にて構成することもできる。
【００４１】
さらに、抜止め体23は、ボルト25およびナット26で構成されたものには限定されず、ピン、或いは板部材等にて構成してもよい。
【００４２】
また、抜止め体23は、開閉体７の挿入部６の前後面から突出した突出状のものには限定されず、前面側のみや後面側のみに突出状に設けられたものでもよく、それに対応する案内体の抜止め用係合受け部である案内本体部の対向板は一対でなく、抜止め体が突出した側の面のみに設けた案内体等であってもよい。また、持上り防止用係合受け部も、抜止め体が突出した側のみに対応するように案内体に設けてあってもよい。
【００４３】
さらに、開閉装置１は、耐火スクリーン装置として説明したが、他のシャッタ装置、ロールスクリーン装置等であってもよく、防火防煙性能の有無も問わない。また、開閉装置１をシャッタ装置とした場合の開閉体は、スクリーン材、スラット、パネル、パイプ、ネット、或いはこれらの複合など任意な材料にて構成される。
【００４４】
また、開口部２の閉鎖時に開閉体の下端部（当接部である重錘部）が床面、地面に当接する構成や、開閉体の下端部が案内体間の下枠体に当接する構成等でもよい。
【００４５】
さらに、開閉装置１は、自重下降式には限定されず、手動式やモータ等の駆動手段で開閉体を昇降させる電動式等でもよい。
【図面の簡単な説明】
【００４６】
【図１】本発明の開閉装置の一実施の形態を示す斜視図である。
【図２】同上開閉装置の要部正面図である。
【図３】図２におけるIII−III断面図である。
【図４】同上開閉装置の加圧時の要部正面図である。
【図５】図４におけるＶ−Ｖ断面図である。
【符号の説明】
【００４７】
１    開閉装置
２    開口部
３    案内体
６    挿入部
７    開閉体
12    抜止め用係合受け部
20    持上り防止用係合受け部である係合受け凹部
23    抜止め体
【図１】
2005113561.tif 000003
【図２】
2005113561.tif 000004
【図３】
2005113561.tif 000005
【図４】
2005113561.tif 000006
【図５】
2005113561.tif 000007